(57)【特許請求の範囲】
【請求項１】
三脚のヘッド、特に、フィルムカメラやテレビカメラを保持する三脚のヘッドであって、
第１ボディ（２０）が第２ボディ（１０）に対して少なくとも１つのピボット軸（２１）回りに回動可能である、第１ボディ（２０）および第２ボディ（１０）と、
前記第２ボディ（１０）に対する前記第１ボディ（２０）の回動運動を減衰する減衰装置（３０）であって、
前記第１ボディ（２０）に固定された第１減衰要素（３１）と、
第２減衰要素（３２）と、
を有する減衰装置（３０）と、を備え、
前記減衰要素（３１，３２）は、それぞれ同心状に配置された複数の環状のリブ（３４，４０）を有し、前記リブがそれぞれ他方の前記減衰要素の前記リブ（３４，４０）間に形成されたキャビティ（３５，４１）に係合し、減衰媒体が前記減衰要素の前記リブ（３４，４０）間に収容される三脚のヘッドにおいて、
前記第２減衰要素（３２）は、前記第２ボディ（１０）に互いに独立して固定可能である、少なくとも２つの独立した部品（３７，３８）からなり、
前記第２減衰要素（３２）の各前記部品（３７，３８）は、それぞれの前記部品（３７，３８）を前記第２ボディ（１０）に固定するための係合要素（５２）が係合する少なくとも１つの凹部（５１）を有し、
前記係合要素（５２）は、前記凹部（５１）と係合するように、又は、非係合となるように、予め力が負荷され、
前記係合要素（５２）は板バネ（５３）と一体であり、
前記係合要素（５２）は、前記板バネ（５３）の広がっている面から突出する平板のタブ（５５）からなることを特徴とする三脚のヘッド。
【請求項２】
請求項１に記載の三脚のヘッドにおいて、前記係合要素（５２）は前記凹部に前記軸方向に係合されることを特徴とする三脚のヘッド。
【請求項３】
請求項１又は２に記載の三脚のヘッドにおいて、前記係合要素（５２）は、それぞれ、前記第２減衰要素（３２）の前記部品（３７，３８）の周方向に間隔をあけて配置されるとともに、互いから離間するように反対方向に傾斜している２つの前記タブ（５５）によって形成されることを特徴とする三脚のヘッド。
【請求項４】
請求項１から３のいずれか１項に記載の三脚のヘッドにおいて、２つの独立した前記部品（３７，３８）を前記第２ボディ（１０）に選択的に固定するための手動調整部（６０）を有することを特徴とする三脚のヘッド。
【請求項５】
請求項１から４のいずれか１項に記載の三脚のヘッドにおいて、前記第１減衰要素（３１）、および／又は、前記第２減衰要素（３２）の前記部品（３７，３８）は、それぞれが、一体品として形成されることを特徴とする三脚のヘッド。 
【請求項６】
請求項１から５のいずれか１項に記載の三脚のヘッドにおいて、前記第２減衰要素（３２）の前記部品（３７，３８）は、同心状のリングとして形成されるとともに、前記リングのそれぞれが、同心状の前記リブ（４０）が延設されるベースプレート（３９）を有しており、１の前記リング（３７）の前記ベースプレート（３９）は他の前記リング（３８）の前記ベースプレート（３９）と重なって延設されることを特徴とする三脚のヘッド。
【発明の詳細な説明】
【技術分野】
【０００１】
本発明は、三脚のヘッド、特にフィルムカメラやテレビカメラを保持するのに好適な三脚のヘッドに関する。特に、本発明は、三脚のヘッドの第２ボディに対する三脚のヘッドの第１ボディの回動運動を減衰する減衰装置、特に油圧減衰装置に関する。
【背景技術】
【０００２】
このような油圧減衰装置として、例えば特許文献１（ドイツ特許公開公報ＤＥ２６５７６９２Ａ１）が知られている。この減衰装置は、それぞれが第１減衰要素と第２減衰要素とからなる、いくつかの減衰部材を有する。減衰要素は、交互に配置されて互いに連結された、いくつかのリングスペーサーディスクから構成される。第１減衰要素のリングディスクは、第２減衰要素のリングディスクの間に櫛歯を噛み合わせるように係合される。それぞれのリングディスクの間には、シリコン油等の減衰媒体が収容される。減衰部材は、減衰力を調整するために、手動調整部により個別に切り替え可能である。しかしながら、この設計においては、特に、個々の減衰部材を製造するために多くの材料が使用され、また取り付けに手間がかかり、その結果生産コストが高くなるという問題がある。さらに、それぞれの減衰部材が歯状構造によって固定され、手動調整部によって作動される別の歯状構造がそれぞれの減衰部材の歯状構造と係合するという問題がある。つまり、遊びのない減衰を実現するためには、すべての減衰部材を小さな寸法公差で生産する必要がある。そのため、さらに生産コストが高くなる。
【０００３】
加えて、減衰力を調整可能とするためには、多数の減衰部材を軸方向に連続して配置する必要があり、軸方向に相当な構造用空間が必要となる。
【０００４】
請求項１のプレアンブル部分の基礎となる、特許文献２（ドイツ特許公開公報ＤＥ３８３３９４４Ａ１）には、少ない点数の部品で構成され、そのため組み立てが容易な三脚のヘッドの減衰装置が開示されている。しかしながら、この実施形態では、減衰力の調整ができないという問題がある。
【０００５】
特許文献２に記載されているような減衰装置において、減衰力を調整するものとして、特許文献３（国際特許公開公報ＷＯ９５／１０７２８Ａ１）のものが考えられる。特許文献３では、所望の減衰力に設定するために、第１減衰要素および第２減衰要素は、互いに関連するように軸方向に動かされる。複数の同心状に配置された環状のリブは、櫛歯に噛み合い、互いに内側へ又は外側へ動かされる。そして、リブが外側に移動されると減衰力は低下し、リブが近づく方向に移動されると減衰力は増加する。しかしながら、この形態は、構造が比較的複雑であり、また、減衰要素の移動のために、軸方向に相当な構造用空間を必要とする。さらに、たとえば何回か回動動作を行った後に、減衰要素が相互に関連するように動かされる際には、減衰媒体のクリープ挙動の違いにより、減衰力の設定が再現されない場合がある。また、減衰要素を互いから完全に離すようには動かせないので、減衰力を０には設定できないという問題がある。
【発明の概要】
【発明が解決しようとする課題】
【０００６】
これらの構造に鑑みて、本発明の目的は、少ない材料の使用で製造でき、組立が簡単であり、必要とする構造用空間が小さく、減衰力の調整も可能である、油圧減衰装置を備えた三脚のヘッドを提供することにある。
【課題を解決するための手段】
【０００７】
本発明の目的は、請求項１の特徴を有する三脚のヘッドによって達成される。本発明の好適な態様は、従属クレームに記載される。
【０００８】
本発明の基本原理は、櫛状に噛み合う減衰要素のうちの１つ（のみ）が複数の部品で構成されるとともに、それらの部品が径方向に互いに隣接して配置されることにある。減衰要素を構成する部品を個別に固定できるので、減衰力を調整することができる。しかしながら、部品が径方向に互いに隣接して配置されるので、軸方向にはほとんど余分な空間を必要としない。さらに、１の減衰要素を構成する複数の部品は、同一の対向する他の減衰要素に係合する（合計３つの部品）。
【０００９】
したがって、本発明による三脚のヘッドは、第１ボディと第２ボディとを有しており、第１ボディは、第２のボディに対して少なくとも１つの軸回りに回動できる。このような三脚のヘッドでは、通常、装着されたフィルムカメラやテレビカメラを少なくとも２つの軸（水平軸および垂直軸）回りに回動させることができる。このような三脚のヘッドは、通常、三脚に固定されるベースボディと、中間ボディと、フィルムカメラやテレビカメラを固定するホルダーと、から構成される。中間ボディは、ベースボディに対して垂直軸の回りに回動可能である。また、ホルダーは、中間ボディに対して水平軸の回りに回動可能である。本発明に係る減衰装置は、水平軸および／または垂直軸の回りの回動運動を減衰するために使用できる。つまり、減衰装置は、ベースボディに対する中間ボディの回動運動、あるいは中間ボディに対するホルダーの回動運動を減衰することができる。本発明に係る減衰装置は、カメラがむらなくかつ制御された状態で導かれるよう、回動運動を減衰するよう機能する。減衰装置は、第１減衰要素と第２減衰要素とを有する。第１減衰要素は第１ボディに固定され、第２減衰要素は、以下に説明するように、減衰装置を作動させ、かつ減衰力を設定するために、第２ボディに選択的に固定可能である。２つの減衰要素はそれぞれ、ピボット軸と同心状に配置された、いくつかの環状のリブを有する。これらの環状のリブは、他方の減衰要素のリブ間に形成されたキャビティに係合する。減衰要素のリブ間には、減衰媒体あるいは流体（例えば減衰液（例えばシリコンオイルやグリース））が収容されている。本発明では、第２減衰要素は、一体的には連結されていない少なくとも２つの独立した部品から構成される。２つの部品はそれぞれ、同軸状に配置された複数の環状のリブを有する。これらの環状のリブは、第１減衰要素のリブ間に形成されたキャビティに係合する。これらの、第２減衰要素の少なくとも２つの部品は、互いに独立して第２ボディに固定可能で、これにより減衰力が設定される。その結果、例えば２つの部品で、４つの減衰段階を達成できる。第２減衰要素の２つの部品のどちらとも第２ボディに固定されない場合、減衰は生じない（段階０）。１つの部品だけが第２ボディに固定される場合、第１減衰力が生じる（段階１）。他方の部品だけが第２ボディに固定され、固定される部品によって生じる減衰力が異なる場合、第３減衰力が生じる（段階２）。最後に、両部品が第２ボディに固定される場合には、最大減衰力が生じる（段階３）。第２減衰要素が２つ以上の部品を有する場合には、さらなる減衰段階を組みこむことが可能になる。第２減衰要素の２つの独立した部品のリブは、同一の第１減衰要素のリブ間のキャビティに係合し、径方向に互いに隣接して、あるいは、互いに同心状に配置されるので、軸方向に構造用空間を増加させることなく減衰力が調整可能である。さらに、減衰装置は基本的には３つの部品だけしか有しないので、組み立てが容易であり、また、少ない材料の使用で製造できる。
【００１０】
好ましくは、２つの独立した部品が固定され、第２減衰要素の独立した部品は、それぞれ、少なくとも１つの係合要素が係合する少なくとも１つの凹部を有している。さらに、独立した部品は、それぞれに、少なくとも１つの係合要素が係合可能ないくつかの凹部を有することが望ましい。この結果、第２ボディから、それぞれの部品に、高トルクを伝達することができる。
【００１１】
特に、係合要素は凹部に軸方向から係合できることが好ましい。第２減衰要素では２つの独立した部品が同心状に配置されるので、既に径方向に構造用空間を必要としている。係合要素の軸方向の動きによって係合要素が凹部内に係合されるため、径方向への構造用空間のさらなる増加を避けることができる。ただし、これに限定されるものではなく、係合要素がそれぞれの凹部内で径方向に移動可能もしくは係合可能とすることも考えられる。この場合、例えば、特許文献４（ドイツ特許公開公報ＤＥ１０２００７０１８０２９Ａ１）に記載されているようなシステムを使用できる。
【００１２】
好ましくは、係合要素には、凹部の方向に予め力が負荷されることが望ましい。言いかえれば、係合要素には、例えばバネによって凹部と係合するよう力が加えられる。しかしながら、反対方向に、つまり係合要素と凹部とが非係合となるように、係合要素に予め力が負荷され、押し付けられていてもよい。
【００１３】
この態様では、係合要素が板バネと一体として構成されることが特に好ましい。この結果、好ましくは打ち抜きの曲げ加工品として形成される、係合要素を形成する要素と同一の要素によって、係合要素に予め力を負荷させ、係合要素を押し付けることが可能になる。したがって、この態様では、部品を減らして、三脚のヘッドを生産することが容易になる。板バネは、凹部の方向に、あるいはその反対方向に係合要素に予め力を負荷するよう機能する。
【００１４】
このため、係合要素は、好ましくは、板バネの面から直立して曲げられたものであることが望ましい。適切なトルク伝達を実現するためには、係合要素が平板のタブとして形成されることが望ましく、これにより、比較的大きな当接面が、係合要素と、凹部を規定する独立した部品の壁部と、の間で形成される。
【００１５】
また、従来技術のように、減衰要素を固定するために歯状構造が用いられる場合には、遊びのない減衰を保証するために生産プロセスにおいて寸法公差を小さく維持する必要があった（背景技術を参照）。この点に関して、生産プロセスをより好ましく設計するためには、係合要素は、好ましくは第２減衰要素の独立した部品の周方向に間隔をあけて配置されるとともに、互いに反対方向に傾斜しており、好ましくは傾斜の方向に対して反るよう設計されている、２つのタブを有することが望ましい。この態様により、係合要素自体が、凹部において係合する際に取付公差および製造公差を補正し、その結果、取付および生産においてより大きな公差を許容しうる。
【００１６】
三脚のヘッドを使いやすくするために、２つの独立した部品を第２ボディに選択的に固定するようユーザーが操作できる手動調整部を備えることが好ましい。手動調整部は、例えば特許文献１（ドイツ特許公開公報ＤＥ２６５７６９２Ａ１）に記載されているような、バネ荷重されたプレスピンと協働し、独立した部品の凹部と係合するようにあるいは非係合となるように、係合部材に力を加える回転ノブあるいは回転リングとできる。また、特許文献４（ドイツ特許公開公報ＤＥ１０２００７０１８０２９Ａ１）に開示されるような手動調整部を用いることもできる。
【００１７】
装着に必要な部品の数を低減するために、第１減衰要素および／または第２減衰要素の部品はそれぞれ、一体品として、特に一次成形プロセスで、より好ましくは射出成形プロセスで製造されることが、特に好ましい。これにより、装着のために減衰要素を組み立てる必要がなくなり、減衰要素を互いへと案内し、三脚のヘッドに固定するだけでよくなる。
【００１８】
これをさらに改良するためには、第２減衰要素の部品は、それぞれが同心状のリブが延設されるベースプレートを有する同心状のリングとして形成されることが特に好ましい。さらに装着しやすくするためには、組み立てる際に、１のリングのベースプレートは、別のリングのベースプレートにわたって延設されている、すなわち重なり合っている、すなわち別のリングを越えて突出するような寸法とされる。その結果、リングのベースプレートの重なり部分は、他のリングのベースプレートと広い範囲で面接触し、これを保持できる。好ましくは、径方向の内側に配置されたリングは、径方向の外側に配置されたリングのベースプレートを越えて突出するベースプレートを有する。
【００１９】
上記特徴単独であるいはこれら特徴と矛盾せず１つ以上と組み合わせて実行できる、本発明のさらなる利点および特徴は、以下の本発明の好ましい実施形態で説明する。この説明は、添付の以下の図面を参照しながら行う。
【図面の簡単な説明】
【００２０】
【図１】本発明の一実施形態にかかる三脚のヘッドのベースボディの平面図を示す。
【図２】図１におけるＡ−Ａ線に沿ったプレスピンを通る断面図を示す。
【図３】図１におけるＢ−Ｂ線に沿った板バネの固定機構を通る断面図を示す。
【図４】ケーシングカバーが取り外された、図１〜図３におけるベースボディの斜視図を示す。
【図５】図１〜図４における減衰装置の分解組立図を示す。
【発明を実施するための形態】
【００２１】
図１は、本発明にかかる三脚のヘッドの一部の下面図を示す。ベースボディ（第２ボディ）と、ベアリング１１を介してベースボディ１０に回動可能に装着され、図示されない三脚ヘッドの中間ボディと接続されるシャフト２０（第１ボディ）と、を図２および図３に示す。シャフト２０は、三脚に通常固定されるベースボディ１０に対して、ピボット軸２１の回りに回動できる。本実施形態におけるベースボディ１０は、２つのハウジング部分１２ａ，１２ｂからなる。
【００２２】
ベースボディ１０に対するシャフト２０の回動運動を減衰することができるよう、減衰装置３０が備えられる。減衰装置３０は、主に、第１減衰要素３１と第２減衰要素３２とを有する。
【００２３】
第１減衰要素３１は、ピボット軸２１と同心状に配置された環状ベースプレート３３を有する。このベースプレート３３から、複数の同心状に配置された環状のリブ３４が、軸方向（ピボット軸２１の方向）に延設される。隣接する２つの環状のリブ３４間のそれぞれには、キャビティ３５が形成される（図５参照）。第１減衰要素３１は、シャフト２０とともに回動するように、回動可能にシャフト２０に固定される（取り付けられる）。このために、ベースプレート３３と接続される環状の金属板３６を用いることができる。環状の金属板３６は、歯状構造を介して、シャフト２０に固定され、回動可能に接続される。あるいは、金属板３６をその中心開口部を介してシャフト２０に押圧することも考えられる。好ましくは、金属板３６は、第１減衰要素３１とともに、射出成形プロセスの一部としての一次成形方法によって、一体に成形される。
【００２４】
第２減衰要素３２は、２つの部品３７および部品３８で形成されている。第２減衰要素３２の２つの部品３７，３８は、シャフト２０に対して回動可能に配置される。２つの部品３７，３８はそれぞれ、第１減衰要素３１のように、ピボット軸２１と同心状に配置されたリング状のベースプレート３９を有する。ピボット軸２１と同心状に配置された、いくつかの環状のリブ４０は、このベースプレート３９から延設され、軸方向（ピボット軸２１の方向）延びている。それぞれのケースの隣接するリブ４０間には、キャビティ４１が、第１減衰要素３１と同様に形成される（図３参照）。両部品３７，３８は、第１減衰要素３１のように、一次成形プロセス、特に射出成形によって生産される。つまり、各部品３７，３８は、一体品として製造される。図２および図３から明らかなように、取付状態においては、第２減衰要素３２の２つの部品３７，３８の同心状のリブ４０は、第１減衰要素３１のリブ３４間のキャビティ３５に係合し、また、第１減衰要素３１のリブ３４は、第２減衰要素３２の２つの部品３７，３８のリブ４０間のキャビティ４１に係合する。言いかえれば、第１減衰要素３１および第２減衰要素３２のリブ４０およびリブ３４は、櫛歯を噛み合わせるように組み合わされる。
【００２５】
リブ３４およびリブ４０の間それぞれには、減衰媒体（例えばシリコンオイル、シリコーングリース）が収容される。
【００２６】
２つの部品３７，３８は、互いに独立してベースボディ１０に固定できる。このために、固定機構５０が備えられる。図４および図５から分かるように、２つの部品３７，３８はいくつかの凹部５１が形成されている。これらは、好ましくは、部品３７，３８の周囲に均等に分配して配置される。さらに、板バネ５３が部品３７，３８のそれぞれに割り当てられる。複数の板バネ５３は、互いに平行に配置され、それぞれの端部はベースボディ１０にねじ接続部５４によって固定される。好ましくは、複数の板バネ５３は、それぞれの端部が同一のねじ接続部５４で固定できるように延びる。
【００２７】
板バネ５３は、好ましくは、少なくとも１つの係合要素５２（本実施形態では３つの係合要素５２）を有する。本実施形態では、これら係合要素５２は、板バネ５３の面から曲折された平板のタブ５５である。ここでは、それぞれの係合要素５２は、部品３７，３８の周方向に間隔をあけて配置された２つのタブ５５を有する。これらは、互いから離間するように反対方向に傾斜し、その結果、それらの傾斜と反対方向に反るよう設計されている。タブ５５は、ウェブ５６によって板バネ５３と一体に連結される。ウェブ５６には、凹部５１内に配置される突出部５８が係合可能な凹部５７を形成できる。凹部５７は、好ましくは突出部５８と同様に円弧形状である。係合要素５２を有する板バネは、好ましくは打ち抜きの曲げ加工品である。
【００２８】
板バネ５３は、軸方向（ピボット軸２１の方向）に（のみ）弾力を持つよう、あるいは、反るように設計される。板バネ５３を、各部品３７，３８を固定する位置から各部品３７，３８を解放する位置へ、またその逆へ移動できるように、ベースボディ１０内で軸方向に移動可能な１つ以上のプレスピン５９が設けられる。
【００２９】
プレスピン５９を移動させるために、ベースボディ１０に対して回動可能に装着される、手動調整部６０が設けられる。本実施形態においては、この手動調整部は、図４のように、フィンガーグルーブ６１を介して手動で回動可能な回転リングである。
【００３０】
ベースボディ１０と側面で接する手動調整部６０は、プレスピン５９の一端に接するカム制御部６２を有する。特に、プレスピン５９は、スプリング６３によって手動調整部６０のカム６２に向かって予め力が負荷されている。図４からわかるように、それぞれの板バネ５３に対して２つのプレスピン５９が設けられる。プレスピン５９は、板バネ５３に対して手動調整部６０のカム制御部６２に面する側に、肩部６４を有する。肩部６４は、各プレスピン５９の作動時に、板バネ５３を移動させるため、部品３７，３８と面する板バネ５３に載置される（接触している）。
【００３１】
図２および図３から分かるように、部品３７のベースプレート３９の外寸は、他方の部品３８のベースプレート３９の内径より大きく設計されている。その結果、部品３７のベースプレート３９は、部品３８のベースプレート３９と重なり合う、すなわち重なって延設されている。リブ４０およびリブ３４が櫛歯を噛み合わせるように組み合わされた状態では、部品３７のベースプレート３９は、部品３８を第１減衰要素３１と係合状態に保持する。
【００３２】
上述した三脚のヘッドの機能を以下により詳細に説明する。
【００３３】
シャフト２０がベースボディ１０に対して回動されると、第１減衰要素３１はシャフト２０とともに動く。
【００３４】
図２および図３に示した状態では、第２減衰要素３２の両部品３７，３８は、ベースボディ１０に対して固定されているため、第１減衰要素３１は、第２減衰要素３２の部品３７および３８に対して回動し、減衰媒体と、キャビティ３５および４１内のリブ４０および３４の係合と、によって、ピボット軸２１の回りの回動運動が減衰される。
【００３５】
２つのタブ５５から成る係合要素５２は、部品３７，３８の凹部５１と係合している。特に、周方向において外側に向いているタブ５５の面は、周方向において内側に向いている凹部５１の面に接している。凹部５７は、凹部５１内の突出部５８と係合している。その結果、板バネ５３と各部品３７，３８とが接続される。そのため、ベースボディ１０に、つまりハウジング部分１２ａにボルト５４（ねじ接続部）により固定された板バネ５３を介して、トルクが部品３７，３８からベースボディ１０のハウジング部分１２ａに伝達される。
【００３６】
減衰力を調整可能とするために、第２減衰要素３２の部品３７，３８はベースボディ１０に個別に固定可能である。例えば図４に示すように、部品３７のみを固定し、部品３８は固定されておらず第１減衰要素３１が回動する際に一緒に回動させることが考えられる。このために、手動調整部６０が回動され、カム制御部６２は、部品３８に対応するプレスピン５９を、カム制御部６２から離間する方向に平行移動させる。ここでは、プレスピン５９の肩部６４が板バネ５３と接触することによって、板バネ５３は、図４においては上方に、図２および図３においては下方に押圧される。こうして、部品３８に対応する係合要素５２は凹部５１と非係合とされ、これにより、部品３８はベースボディ１０に対して回動可能となり、第１減衰要素３１の回動にあわせて回動する。部品３７が非係合となるときも同様である。
【００３７】
手動調整部６０が図２および図３に示す位置に移動された場合には、プレスピン５９がスプリング６３によって押し戻され、板バネ５３はそのバネ力により最初の位置に戻る。係合要素５２は、各部品３７，３８のそれぞれの凹部５１と係合するよう移動し、ベースボディ１０に対して各部品３７，３８を固定する。
【００３８】
本実施形態では、４つの減衰段階を実現される。初めに、減衰段階０では、部品３７，３８は、フリーで（固定されておらず）、第１減衰要素３１とともに回動できる。この段階では、減衰は起こらない。減衰段階１では、部品３８はフリーで、部品３７が固定される。減衰段階２では、部品３７はフリーで、部品３８は固定される。減衰段階３では、部品３７，３８共に固定される。
【００３９】
本実施形態では、２つの部品からなる第２減衰要素３２を説明した。しかしながら、第２減衰要素３２は２つより多い部品を有していてもよく、この場合、対応して減衰段階がより多段階になる。
【００４０】
さらに、本実施形態では、係合要素５２に軸方向に予め力が負荷される場合について説明した。つまり、係合要素は、軸方向に内側および外側に押圧される。しかしながら、径方向に内側および外側に押圧できる係合要素や、回動するように移動する係合要素によって、固定が行われてもよい。また、手動調整部６０は作動リング以外の作動タイプで実現されてもよい。例えば、手動調整部６０は、対応する平行移動を行う回転ノブであってもよい。例えば、特許文献４（ドイツ特許公開公報ＤＥ１０２００７０１８０２９Ａ１）に記載されているようなカム調整部が使用できる。したがって、本発明の基本概念から逸脱することなく、実施形態の種々の変形や変更を行うことができることは明らかである。
【符号の説明】
【００４１】
１０  ベースボディ（第２ボディ）
２０  シャフト（第１ボディ）
２１  ピボット軸
３０  減衰装置
３１  第１減衰要素
３２  第２減衰要素
３４  リブ
３５  キャビティ
３７，３８  部品
３９  ベースプレート
４０  リブ
４１  キャビティ
５１  凹部
５２  係合要素
５３  板バネ
５５  タブ
６０  手動調整部
【先行技術文献】
【特許文献】
【００４２】
【特許文献１】ドイツ特許公開公報ＤＥ２６５７６９２Ａ１
【特許文献２】ドイツ特許公開公報ＤＥ３８３３９４４Ａ１
【特許文献３】国際特許公開公報ＷＯ９５／１０７２８Ａ１
【特許文献４】ドイツ特許公開公報ＤＥ１０２００７０１８０２９Ａ１
【図１】
0005996877.tif 000002
【図２】
0005996877.tif 000003
【図３】
0005996877.tif 000004
【図４】
0005996877.tif 000005
【図５】
0005996877.tif 000006